(57)【要約】【課題】  エンドユーザーが建築物に関して所望する建築プランを容易に作成し、これをハウスメーカーなどのが迅速かつ的確に入手し、さらに、エンドユーザーが持つイメージからズレることなく建築者が建築プランを受注して建築物を設計、建築できる建築プラン受注方法を提供する。【解決手段】  建築プラン作成用基本プログラムを管理者からエンドユーザーに少なくともインターネットを介して提供するステップ、エンドユーザーが基本プログラムを用いて作成した建築プランを前記エンドユーザーから建築者に少なくともインターネットを介して提供するステップを具備し、建築者が建築プランに基づいて建築物を設計する建築プラン受注方法。【選択図】      図１
2005209126.tif 000002
【特許請求の範囲】
【請求項１】
建築プラン作成用基本プログラムを管理者からエンドユーザーに少なくともインターネットを介して提供する手段、および
前記エンドユーザーが前記基本プログラムを用いて作成した基本建築プランを前記エンドユーザーから建築者に少なくともインターネットを介して提供する手段を具備し、
前記建築者が前記基本建築プランに基づいて建築物を設計することを特徴とする建築プラン受注システム。
【請求項２】
建築プラン作成用応用プログラムを前記管理者から前記エンドユーザーに少なくともインターネットを介して提供する手段、および
前記エンドユーザーが前記応用プログラムを用いて前記基本建築プランに基づいて作成した応用建築プランを前記エンドユーザーから前記建築者に少なくともインターネットを介して提供する手段を具備し、
前記建築者が少なくとも前記応用建築プランに基づいて建築物を設計することを特徴とする請求項１記載の建築プラン受注システム。
【請求項３】
前記基本プログラムが二次元的な基本建築プランおよび／または三次元的な基本建築プランを作成するためのプログラムを含むことを特徴とする請求項２記載の建築プラン受注システム。
【請求項４】
前記応用プログラムが前記二次的な基本建築プランから三次元的な基本建築プランを作成するためのプログラムを含むことを特徴とする請求項３記載の建築プラン受注システム。
【請求項５】
前記応用プログラムが前記三次元的な基本建築プランを三次元的に改変するためのプログラムを含むことを特徴とする請求項３または４記載の建築プラン受注システム。
【請求項６】
前記応用プログラムが、
コンピュータスクリーン上に三次元対象物の三次元表示を表示させる手段、
前記三次元表示に関連させた入力デバイスの操作によって前記三次元対象物を活性化させる手段、
前記活性化された三次元対象物に割り当てられた三次元座標系を、前記コンピュータスクリーン上に表示する手段、
前記三次元座標系に関連させた前記入力デバイスの操作によって、前記三次元座標系における軸を一つ選択する手段、
全方位三次元座標系において、前記三次元座標系の原点を、前記軸の方向によって規定される線に沿って、前記入力デバイスの操作によって決定される向きにシフトする手段、
前記三次元座標系の原点の移動によって前記三次元対象物を移動させた後、前記全方位三次元座標系に関連させて前記三次元対象物を計算する手段、ならびに
前記シフト後の三次元対象物を前記コンピュータスクリーン上に表示する手段を含み、
前記コンピュータスクリーン上に表示された前記三次元座標系において、前記原点および前記軸の終点に改変点が配され、前記改変点上でクリックすることのみによって前記三次元座標系の改変を行われることを特徴とする三次元対象物を改変するためのプログラムであることを特徴とする請求項５記載の建築プラン受注システム。
【請求項７】
建築プラン作成用基本プログラムを管理者からエンドユーザーに少なくともインターネットを介して提供するステップ、および
前記エンドユーザーが前記基本プログラムを用いて作成した基本建築プランを前記エンドユーザーから建築者に少なくともインターネットを介して提供するステップを具備し、
前記建築者が前記基本建築プランに基づいて建築物を設計することを特徴とする建築プラン受注方法。
【請求項８】
建築プラン作成用応用プログラムを前記管理者から前記エンドユーザーに少なくともインターネットを介して提供するステップ、および
前記エンドユーザーが前記応用プログラムを用いて前記基本建築プランに基づいて作成した応用建築プランを前記エンドユーザーから前記建築者に少なくともインターネットを介して提供するステップを具備し、
前記建築者が少なくとも前記応用建築プランに基づいて建築物を設計することを特徴とする請求項７記載の建築プラン受注方法。
【発明の詳細な説明】
【技術分野】
【０００１】  本発明は、新築の家やマンションの購入を計画するエンドユーザーの希望に合わせて、家やマンションを建築するハウスメーカーやディベロッパーなどが、所望の間取りをエンドユーザーのイメージどおりに実現することを可能とする建築プラン受注システム、およびこれを用いた建築プラン受注方法に関する。
【背景技術】
【０００２】  昨今、エンドユーザーが新築の一戸建ての家を購入する場合、設計の段階で自らが携わり、壁紙の色、ソファーの配置、レイアウト、間取りおよび仕様などの建築プランについて、希望を叶えようとする傾向が強い。そして、そのようなエンドユーザーは、苦心しつつ自ら紙と鉛筆を用いて間取り図の原案を書くことが多い。
これに対し、工務店、ハウスメーカーやディベロッパーは、このようなエンドユーザーの希望に合わせて、上述のような間取り図の原案を基に、実際の建築可能性、コストおよび建築基準法上の制約などを検討しつつ、実情に沿った間取り図や建築プランを作成する。この際、エンドユーザーの希望が確実に反映されればよいものの、当初のイメージが損なわれることが少なくない。【０００３】  一方、ハウスメーカーやディベロッパーなどの営業マンがエンドユーザーを前にして既に建築した家やマンションについて営業をする場合、通常はその家やマンションの間取りを多少の写真とともに掲載したチラシを見せつつ、建築仕様などについて説明することがよく行われている。
しかし、このようなチラシだけでは、エンドユーザーにとって詳細な間取りなどを知ることができず、空間的（三次元的）なイメージが湧きにくいことがある。この場合、わざわざ時間を作って遠方の物件に実際に脚を運んだところ、チラシで見た内容とイメージが異なるといった問題も起こり得る。【０００４】  このような問題に対して、二次元的な設計図や三次元的な設計図の作成を可能とするＣＡＤなどのソフトも多々市販されているようであるが、完成図が二次元的なものであれば立体的なイメージは湧きにくく、三次元的な設計図であっても必ずしも建築者にとってそのまま有効利用できるというわけではない。
また、二次元的な設計図などを三次元的な設計図などに改変または変換するソフトも開発されているが、結局は二次元または三次元いずれかの設計図が得られるに過ぎない。【０００５】  さらには、エンドユーザーが家を建てるにあたって自ら設計した間取り図を、ハウスメーカーやディベロッパーなどの建築者がそのまま迅速かつ的確に入手することによって有効に利用し、エンドユーザーの抱いているイメージを壊すことなく当該家を設計、建築することができれば、エンドユーザーにとっても建築者にとっても好都合である。
【発明の開示】
【発明が解決しようとする課題】
【０００６】  そこで、本発明は、エンドユーザーが建築物に関して所望する建築プランを容易に作成することができ、これをハウスメーカーやディベロッパーなどの建築者が迅速かつ的確に入手することができ、さらには、建築プランに対してエンドユーザーが持つイメージからズレることなく、建築者が前記建築プランを受注して建築物を設計、建築することのできる建築プラン受注システムを提供することを目的とする。
【課題を解決するための手段】
【０００７】  上記課題を解決するため、本発明は、建築プラン作成用基本プログラムを管理者からエンドユーザーに少なくともインターネットを介して提供する手段、および前記エンドユーザーが前記基本プログラムを用いて作成した基本建築プランを前記エンドユーザーから建築者に少なくともインターネットを介して提供する手段を具備し、前記建築者が前記基本建築プランに基づいて建築物を設計することを特徴とする建築プラン受注システム、ならびにこれを用いた建築プラン受注方法を提供する。【０００８】  前記建築プラン受注システムは、建築プラン作成用応用プログラムを前記管理者から前記エンドユーザーに少なくともインターネットを介して提供する手段、および前記エンドユーザーが前記応用プログラムを用いて前記基本建築プランに基づいて作成した応用建築プランを前記エンドユーザーから前記建築者に少なくともインターネットを介して提供する手段を具備し、前記建築者が少なくとも前記応用建築プランに基づいて建築物を設計することができるものであるのが好ましい。【０００９】  また、前記基本プログラムが二次元的および／または三次元的な基本建築プランを作成するためのプログラムを含むのが好ましく、前記応用プログラムが少なくとも三次元的な応用建築プランを三次元的（立体的）に改変（変換）するためのプログラムを含むのが好ましい。
【発明の効果】
【００１０】  上述のような構成を有する本発明に係る建築プラン受注システムによれば、エンドユーザーが建築物に関して所望する建築プランを容易に作成することができ、これをハウスメーカーやディベロッパーなどの建築者が迅速かつ的確に入手することができ、さらには、建築プランに対してエンドユーザーが持つイメージからズレることなく、建築者が前記建築プランを受注して建築物を設計、建築することができる。
【発明を実施するための最良の形態】
【００１１】  本発明は、建築プラン作成用基本プログラムを管理者からエンドユーザーに少なくともインターネットを介して提供する手段、および前記エンドユーザーが前記基本プログラムを用いて作成した基本建築プランを前記エンドユーザーから建築者に少なくともインターネットを介して提供する手段を具備し、前記建築者が前記基本建築プランに基づいて建築物を設計することを特徴とする建築プラン受注システム、ならびにこれを用いた建築プラン受注方法を提供する。【００１２】  前記建築プラン受注システムは、建築プラン作成用応用プログラムを前記管理者から前記エンドユーザーに少なくともインターネットを介して提供する手段、および前記エンドユーザーが前記応用プログラムを用いて前記基本建築プランに基づいて作成した応用建築プランを前記エンドユーザーから前記建築者に少なくともインターネットを介して提供する手段を具備し、前記建築者が少なくとも前記応用建築プランに基づいて建築物を設計することができるものであるのが好ましい。【００１３】  また、前記基本プログラムが二次元的および／または三次元的な基本建築プランを作成するためのプログラムを含むのが好ましく、前記応用プログラムが少なくとも三次元的な応用建築プランを三次元的（立体的）に改変（変換）するためのプログラムを含むのが好ましい。【００１４】  上述のような本発明に係る建築プラン受注システムにおける前記基本プログラム、前記基本建築プラン、前記応用プログラムおよび前記応用建築プランのインターネットを介したやり取りは、すべて管理者の保有するサーバーにおいて管理することが可能である。かかるサーバーの制御方法については、当業者であれば適宜実施することが可能である。【００１５】  ここで、前記基本プログラムとしては、従来公知の二次元的な基本建築プランおよび／または三次元的な基本建築プランを作成するためのプログラムを用いることができる。
また、前記応用プログラムとしては、前記二次的な基本建築プランから三次元的な基本建築プランを作成するためのプログラムを用いるのが好ましく、さらに、前記三次元的な基本建築プランを三次元的に改変するためのプログラムを含むのが好ましい。【００１６】  上述のような三次元的な基本建築プランを三次元的に改変するためのプログラム（改変プログラム）としては、
コンピュータスクリーン上に三次元対象物の三次元表示を表示させる手段、
前記三次元表示に関連させた入力デバイスの操作によって前記三次元対象物を活性化させる手段、
前記活性化された三次元対象物に割り当てられた三次元座標系を、前記コンピュータスクリーン上に表示する手段、
前記三次元座標系に関連させた前記入力デバイスの操作によって、前記三次元座標系における軸を一つ選択する手段、
全方位三次元座標系において、前記三次元座標系の原点を、前記軸の方向によって規定される線に沿って、前記入力デバイスの操作によって決定される向きにシフトする手段、
前記三次元座標系の原点の移動によって前記三次元対象物を移動させた後、前記全方位三次元座標系に関連させて前記三次元対象物を計算する手段、ならびに
前記シフト後の三次元対象物を前記コンピュータスクリーン上に表示する手段を含み、
前記コンピュータスクリーン上に表示された前記三次元座標系において、前記原点および前記軸の終点に改変点が配され、前記改変点上でクリックすることのみによって前記三次元座標系の改変を行うことを特徴とするプログラムが有効である。【００１７】  また、前記改変プログラムは、さらに
前記三次元座標系に関連させた前記入力デバイスの操作によって、前記三次元座標系における第１の軸を選択する手段、
前記第１の軸から第３の軸への移動が前記入力デバイスによって誘導される場合に、前記三次元座標系を第２の軸のまわりに回転させ、前記第１の軸から前記第２の軸への移動が前記入力デバイスによって誘導された場合に、前記三次元座標系を第３の軸のまわりに回転させる手段、
前記三次元座標系の回転にしたがって前記三次元対象物を回転させた後、前記全方位三次元座標系に関連させて前記三次元対象物を計算する手段、および
前記回転後の三次元対象物を前記コンピュータスクリーン上に表示する手段を含むのが好ましい。【００１８】  さらに前記改変プログラムは、
前記三次元座標系に関連させた前記入力デバイスの操作によって、前記三次元座標系における軸を選択する手段、
前記入力デバイスによって、前記選択された軸に対して伸縮操作（拡大または圧縮）を作動させる手段、
前記軸に沿って前記三次元対象物を伸縮した後、前記全方位三次元座標系に関連させて前記三次元対象物を計算する手段、および
前記伸縮後の三次元対象物を前記コンピュータスクリーン上に表示する手段を含むのが好ましい。【００１９】  そして、前記入力デバイスがクリックによって前記三次元座標系から軸を選択するために用いることのできるコンピュータ用のマウスからなり、
前記マウスが前記三次元座標系の移動または前記三次元座標系の軸の移動を誘導し、前記マウスの操作によって前記三次元座標系の軸を一つを回転または伸縮させるために用いることができるのが好ましい。【００２０】  前記マウスによるクリックまたはシフト操作が、可能な改変タイプの選択群から、前記コンピュータスクリーン上に表示された前記三次元対象物または前記三次元座標を考慮したユーザーの意図に最も適合する三次元対象物の改変に翻訳されるのが好ましい。【００２１】  そして、前記改変点の位置を自由に選択することができ、前記三次元座標系の軸上に位置することを必要としないことが好ましく、また、前記三次元座標系の原点の位置は、対応する前記三次元対象物に関連させて自由に選択することができ、前記三次元対象物の外側に位置してもよい。【００２２】  また、対応する前記三次元対象物に影響を与えることなく、前記三次元座標系を移動、回転または伸縮させることができることが好ましく、データベースを設け、当該データベースから検索された三次元対象物に割り当てられた前記三次元座標系の位置を、前記三次元対象物の形状に最適となるように自動的に選択されるようにすることも有効である。【００２３】  上述のような三次元的な改変プログラム（三次元的改変ソフト）を用いれば、エンドユーザーは三次元的な建築プランを自由に伸縮や回転させることができ、イメージどおりに間取り図を作成することができる。そして、建築者もエンドユーザーの建築プランをイメージどおりに理解することが容易となり、的確に建築物の設計、建築を行うことが可能である。【００２４】実施の形態１
ここで、図１は、本発明に係る建築プラン受注システムの一実施の形態を示す構成図である。図１に示すように、本発明に係る建築プラン受注システムは、少なくとも管理者１、エンドユーザー２および建築者３を含み、これらがインターネットでアクセス可能な状態にある。管理者１は本発明に係る建築プラン受注システムを管理し、エンドユーザー２や建築者２とのやり取りを可能とするウェブを管理する。【００２５】  実施の形態１においては、管理者１のウェブにアクセスしたエンドユーザー２が、建築プラン作成用基本プログラムを例えば無料ダウンロード（図１中のＡ）することによって入手することができる。そうすると、エンドユーザー２は、当該基本プログラムを用いて基本建築プランを作成することができ、この基本建築プランをウェブにアップロードしたり、建築者３に直接送信することもできる。【００２６】  一方、建築者３は、インターネットを経由して管理者１のウェブに登録し、エンドユーザー２に自己の存在をアピールする。これにより、本発明に係る建築プラン受注システムを経て、エンドユーザー２から建築プランを受注することができ、また、ウェブにおいてエンドユーザー２の希望などの情報を得ることができる（図１中のＢ）。ただし、エンドユーザー２は、自己の作成した基本建築プランをインターネットを経由して直接建築者３に送信可能とすることもできる（図１中のＣ）。【００２７】  ここで、上述のように、エンドユーザー２は管理者１から基本プログラムを無料で入手することができるが、つぎに当該基本プログラムで作成した基本建築プランをバージョンアップしたり改変したりするために、ウェブから応用プログラムを有料ダウンロードできるのが好ましい。この際、エンドユーザー２はウェブに会員登録され、エンドユーザー２の建築プランに関する嗜好などの情報がウェブ上のデータベースに蓄積されるようにすれば、その情報を管理者１や建築者３が有効に利用することができる。【００２８】  本発明においては、前記基本プログラムが、二次元的な基本建築プランのみを作成し得るものである場合は、前記応用プログラムに、前記二次的な基本建築プランから三次元的な基本建築プランを作成する機能、および前記三次元的な基本建築プランを三次元的に改変する機能を持たせる。【００２９】  一方、前記基本プログラムが、二次元的な基本建築プランのみを作成する機能を有するとともに、前記二次的な基本建築プランから三次元的な基本建築プランを作成する機能を有する場合は、前記応用プログラムに前記三次元的な基本建築プランを三次元的に改変する機能を持たせる。【００３０】  これによって、エンドユーザー２は建築物に関して所望する建築プランを容易に作成することができ、これをハウスメーカーやディベロッパーなどの建築者３が迅速かつ的確に入手することができ、さらに建築プランに対してエンドユーザー２が持つイメージからズレることなく、建築者３が前記建築プランを受注して建築物を設計、建築することができる。【００３１】実施の形態２
図２は、本発明に係る建築プラン受注システムの一実施の形態を示す別の構成図である。図２に示すように、本発明に係る建築プラン受注システムは、少なくとも管理者１、エンドユーザー２および建築者３を含み、これらがインターネットでアクセス可能な状態にある。管理者１は本発明に係る建築プラン受注システムを管理し、エンドユーザー２や建築者２とのやり取りを可能とするウェブを管理する。実施の形態２は実施の形態１とほぼ同じであるが、以下に異なる点について説明する。【００３２】  実施の形態２においては、管理者１から電気製品量販店、出版社、印刷会社、不動産会社、工務店または広告代理店などの広告者４に、基本プログラムを記録した記録媒体であるＣＤ−ＲＯＭ（お試し版）などを無料で配布する（図２中のＡ１）。そして、広告者４は、雑誌、モデルハウス、電気製品量販店、工務店もしくは不動産会社の店頭などにおいて、または、直接エンドユーザー２の郵便ポストに無料で当該記録媒体を配布し、エンドユーザー２が当該記録媒体を無料で入手する（図２中のＡ２）。そうすると、エンドユーザー２は、当該基本プログラムを用いて基本建築プランを作成することができ、この基本建築プランをウェブにアップロードしたり、建築者３に直接送信することもできる。【００３３】  ここで、上述のように、エンドユーザー２は広告者４を経由して管理者１から基本プログラムを無料で入手することができるが、つぎに当該基本プログラムで作成した基本建築プランをバージョンアップしたり改変したりするために、ウェブから応用プログラムを有料ダウンロードできるのが好ましい。【００３４】  これによって、エンドユーザー２は本発明に係る建築プラン受注システムを利用するきっかけをさらに容易につかみ、建築物に関して所望する建築プランを容易に作成することができ、これをハウスメーカーやディベロッパーなどの建築者３が迅速かつ的確に入手することができ、さらに建築プランに対してエンドユーザー２が持つイメージからズレることなく、建築者３が前記建築プランを受注して建築物を設計、建築することができる。【００３５】実施の形態３
図３は、本発明に係る建築プラン受注システムの一実施の形態を示すさらに別の構成図である。図３に示すように、本発明に係る建築プラン受注システムは、少なくとも管理者１、エンドユーザー２および建築者３を含み、これらがインターネットでアクセス可能な状態にある。管理者１は本発明に係る建築プラン受注システムを管理し、エンドユーザー２や建築者２とのやり取りを可能とするウェブを管理する。実施の形態２は実施の形態１とほぼ同じであるが、以下に異なる点について説明する。【００３６】  実施の形態３においては、建築者３が、ハウスメーカーやディベロッパーなどのホームビルダー３０と、ホームビルダー３０に帰属する工務店ａ〜ｃとで構成されている。通常、ホームビルダー３０が受注、設計、建築および販売する家などは、工務店が実際に建築することがあり、したがって、当該工務店が本発明に係る建築プラン受注システムにおいて迅速かつ的確にエンドユーザー２の建築プランを入手することができれば有効である。【００３７】  エンドユーザー２は、当該基本プログラムを用いて基本建築プランを作成することができ、この基本建築プランをウェブにアップロードしたり、ホームビルダー３０や工務店ａ〜ｃに直接送信することもできる。なお、管理上、工務店ａ〜ｃは、ホームビルダー３０を介してインターネット経由でウェブにアクセスし、管理者１やエンドユーザー２とコンタクトを取るようにしてもよいが、直接インターネット経由でウェブにアクセスできるようにしてもよい。また、エンドユーザー２と工務店ａが直接コンタクトを取っても構わない（図３中のＣ１）。【００３８】  これによって、エンドユーザー２は建築物に関して所望する建築プランを容易に作成することができ、これをホームビルダー３０や実際の建築に携わる工務店ａ〜ｃが迅速かつ的確に入手することができ、さらに建築プランに対してエンドユーザー２が持つイメージからズレることなく、工務店ａ〜ｃが前記建築プランを受注して建築物を設計、建築することができる。【００３９】  ここで、本発明においては、エンドユーザー２がお試し版のＣＤ−ＲＯＭなどを入手することによって基本プログラムを使用した後、管理者１のウェブに会員登録をさせることが望ましい。そして、エンドユーザー２の建築プランに関する好みなどを前記ウェブに情報として蓄積してもよい。さらに、エンドユーザー２が会員登録した後は、前記お試し版が、エンドユーザー２が当該お試し版を入手した工務店に対して用いる専用のプログラムとして機能するように設定してもよい。
【産業上の利用可能性】
【００４０】  本発明に係る建築プラン受注システムおよびこれを用いた建築プラン受注方法は、建築プランの作成に種々のプログラムを用い、当該建築プランを段階的にバージョンアップしてそのイメージを大切にし、所望の家などを建築したいというエンドユーザーや建築者の要望に応えるものであり、インターネットの発達した電子情報化社会において軽視されがちなイメージと実際の建築物のギャップを埋める有効なビジネスメソッドとして利用できる。
【図面の簡単な説明】
【００３５】
【図１】  本発明に係る建築プラン受注システムの一実施の形態を示す構成図である。
【図２】  本発明に係る建築プラン受注システムの一実施の形態を示す別の構成図である。
【図３】  本発明に係る建築プラン受注システムの一実施の形態を示すさらに別の構成図である。
【符号の説明】
【００３６】        １  管理者
２  エンドユーザー
３  建築者
４  広告者
【図１】
2005209126.tif 000003
【図２】
2005209126.tif 000004
【図３】
2005209126.tif 000005